(57)【要約】【課題】増築の工事期間が短く、取りこわした外壁部分の補修が簡単である増築部を備えた建物とする。【解決手段】外壁部分１に形成した増築用開口部３と連続して増築ユニット１０を取付けて増築部とし、この増築用開口部３を、左右一対の既設の柱４と既設の土台５と上横材６で囲まれた内側開口部７及び外壁材８に形成した外側開口部９で形成し、前記外側開口部９の左右寸法を左右の柱４間の寸法よりも大きくして外壁材８の残存した左右の縦開口縁部を柱４の室外側面４ａで支持したままの状態とし、前記増築ユニット１０の左右の側面部１２に設けた縦押え部１５で外壁材８の縦内面９ａを覆って室外から見えないようにし、前記増築ユニット１０の上面部１４に設けた上横押え部１６で外壁材８の上横内面８ａを覆って室外から見えないようにする。【選択図】図２
2006214208.tif 000002
【特許請求の範囲】
【請求項１】
既設建物の外壁部分に、左右一対の既設の柱と、既設の土台と、その左右一対の柱間に横架連結した上横材で囲まれた内側開口部及び外壁材に形成した外側開口部を有し、その外壁材の残存した左右の縦開口縁部が前記柱の室外側面で支持された増築用開口部を、居室と対向して形成し、
前面部と左右の側面部と下面部と上面部で後面が開口した箱形状の増築ユニットをあらかじめ製作し、
前記増築ユニットの左右の側面部を前記左右の柱の室外側面に取付け、下面部を前記土台の室外側面に取付け、上面部を前記上横材の室外側面に取付けることで、増築用開口部と連続して増築ユニットを取付けて前記居室を増築し、
前記左右の側面部に設けた縦押え部が前記外壁材の左右縦開口縁の室外側面に接して外側開口部の縦内面が室外から見えないように覆い、
前記上面部に設けた上横押え部が前記外壁材の上横開口縁の室外側面に接して外側開口部の上横内面が室外から見えないように覆うようにしたことを特徴とする建物の増築方法。
【請求項２】
既設建物の外壁部分に、居室と対向した増築用開口部が形成され、この増築用開口部と連続して増築ユニットを取付けて前記居室を増築した増築部を備えた建物であって、
前記増築用開口部は、左右一対の既設の柱と、既設の土台と、その左右一対の柱間に横架連結した上横材で囲まれた内側開口部及び外壁材に形成した外側開口部を有し、
前記外側開口部の左右寸法が前記左右一対の既設の柱間の寸法よりも大きく、前記外壁材の左右の縦開口縁部が前記左右一対の既設の柱の室外側面に支持され、
前記増築ユニットは、前面部と左右の側面部と下面部と上面部で後面が開口した箱形状で、その左右の側面部が前記左右の柱の室外側面に取付けられ、下面部が前記土台の室外側面に取付けられ、上面部が前記上横材の室外側面に取付けてあり、
前記左右の側面部に設けた縦押え部が前記外壁材の左右縦開口縁の室外側面に接して外側開口部の縦内面が室外から見えないように覆い、
前記上面部に設けた上横押え部が前記外壁材の上横開口縁の室外側面に接して外側開口部の上横内面が室外から見えないように覆うことを特徴とする増築部を備えた建物。
【請求項３】
内側開口部に補強枠を取付けて補強し、
この補強材は上枠材と下枠材と左右の縦枠材で方形枠状で、
前記上枠材は、上横材の室外側面に固着される上向取付片と上横材の内側面に固着される内向取付片を有し、
前記下枠材は、土台の室外側面に固着される下向取付片と土台の内側面に固着される内向取付片を有し、
前記縦枠材は、柱の室外側面に固着される外向取付片と柱の内側面に固着される内向取付片を有する請求項２記載の増築部を備えた建物。
【請求項４】
下枠材は、土台の室外側面よりも室外側に突出した突出横片を有し、この突出横片に下面部が載置して固着され、
縦枠材は、柱の室外側面よりも室内側に突出した突出横片を有し、この突出横片と側面部が固着してある請求項３記載の増築部を備えた建物。
【発明の詳細な説明】
【技術分野】
【０００１】
本発明は、既設建物の一部を増築したする方法及び増築部を備えた建物に関する。
【背景技術】
【０００２】
従来から、人が居住する建物においては、その既設建物の一部を増築して広くすることが行われている。
例えは、洗面台、トイレ、浴室などの小さな床面積の居室は、奥行きが短く、使い勝手が悪いので、増築して奥行きを長くすることがある。
従来の増築工事としては、居室の外壁部分を取りこわし、増築部の基礎、土台、軸組み等を設置し、新築と同様の設置工事を行うのが一般的である。
【０００３】
このように、既設建物の居室を増築する際に、新築と同様の基礎、土台、軸組み等の設置工事を行うと工事期間が長くなり、工事対象の居室を長い期間に亘って使用できない、工事中、外壁が完成するまで防犯性が悪くなるとの欠点がある。
【０００４】
既設建物の寝室、応接室などの床面積が大きい居室の奥行きを長くする増築の場合には、その増築部の床面積が大きいので、強度等の面から前述のように新築と同様の設置工事を行うことに意味があるが、前述したように洗面台、トイレ、浴室などの床面積が小さい居室の奥行きを長くする増築の場合には、その増築部の床面積が小さく（例えば１ｍ２以下）、前述のように新築と同様の設置工事を行うことに意味がないことがある。
【０００５】
このようなことから、床面積が小さい居室の増築の場合には、特許文献１に開示されたユニット体を既設建物の外壁面に取付ける技術を応用して、増築の工事期間を短くすることが考えられる。
【０００６】
【特許文献１】特公平５−３９２３０号公報
【発明の開示】
【発明が解決しようとする課題】
【０００７】
前述した特許文献１に開示された技術は、既設サッシを取付ける建物開口があらかじめ形成されており、この建物開口の周囲の外壁面にユニット体を固着して取付けているので、この技術を、居室の外壁部分にを取りこわして開口部を形成する増築に適用した場合には、その外壁部分の取りこわし、ユニット体の取付け位置、取りこわした外壁部分の補修の仕方などが問題となる。
【０００８】
本発明の目的は、増築の工事期間が短く、取りこわした外壁部分の補修が簡単である建物の増築方法及び増築部を備えた建物を提供することである。
【課題を解決するための手段】
【０００９】
本発明は、既設建物の外壁部分に、左右一対の既設の柱と、既設の土台と、その左右一対の柱間に横架連結した上横材で囲まれた内側開口部及び外壁材に形成した外側開口部を有し、その外壁材の残存した左右の縦開口縁部が前記柱の室外側面で支持された増築用開口部を、居室と対向して形成し、
前面部と左右の側面部と下面部と上面部で後面が開口した箱形状の増築ユニットをあらかじめ製作し、
前記増築ユニットの左右の側面部を前記左右の柱の室外側面に取付け、下面部を前記土台の室外側面に取付け、上面部を前記上横材の室外側面に取付けることで、増築用開口部と連続して増築ユニットを取付けて前記居室を増築し、
前記左右の側面部に設けた縦押え部が前記外壁材の左右縦開口縁の室外側面に接して外側開口部の縦内面が室外から見えないように覆い、
前記上面部に設けた上横押え部が前記外壁材の上横開口縁の室外側面に接して外側開口部の上横内面が室外から見えないように覆うようにしたことを特徴とする建物の増築方法である。
【００１０】
本発明は、既設建物の外壁部分に、居室と対向した増築用開口部が形成され、この増築用開口部と連続して増築ユニットを取付けて前記居室を増築した増築部を備えた建物であって、
前記増築用開口部は、左右一対の既設の柱と、既設の土台と、その左右一対の柱間に横架連結した上横材で囲まれた内側開口部及び外壁材に形成した外側開口部を有し、
前記外側開口部の左右寸法が前記左右一対の既設の柱間の寸法よりも大きく、前記外壁材の左右の縦開口縁部が前記左右一対の既設の柱の室外側面に支持され、
前記増築ユニットは、前面部と左右の側面部と下面部と上面部で後面が開口した箱形状で、その左右の側面部が前記左右の柱の室外側面に取付けられ、下面部が前記土台の室外側面に取付けられ、上面部が前記上横材の室外側面に取付けてあり、
前記左右の側面部に設けた縦押え部が前記外壁材の左右縦開口縁の室外側面に接して外側開口部の縦内面が室外から見えないように覆い、
前記上面部に設けた上横押え部が前記外壁材の上横開口縁の室外側面に接して外側開口部の上横内面が室外から見えないように覆うことを特徴とする増築部を備えた建物である。
【００１１】
本発明の増築部を備えた建物においては、内側開口部を形成したことで外壁部分が強度不足となる場合には、内側開口部に補強枠を取付けて補強することになるが、この補強材は上枠材と下枠材と左右の縦枠材で方形枠状で、前記上枠材は、上横材の室外側面に固着される上向取付片と上横材の内側面に固着される内向取付片を有し、
前記下枠材は、土台の室外側面に固着される下向取付片と土台の内側面に固着される内向取付片を有し、
前記縦枠材は、柱の室外側面に固着される外向取付片と柱の内側面に固着される内向取付片を有するものとすることが好ましい。
【００１２】
このようにすれば、内側開口部を補強枠で強固に補強できるし、柱の内側面、土台の内側面、上横材の内側面から内方に張り出す取付片の厚さを小さくできるから、内側開口部の大きさが補強枠で小さくなることが低減する。
【００１３】
前述のように補強材を設けた場合には、その下枠材は、土台の室外側面よりも室外側に突出した突出横片を有し、この突出横片に下面部が載置して固着され、
縦枠材は、柱の室外側面よりも室内側に突出した突出横片を有し、この突出横片と側面部が固着してあることが好ましい。
【００１４】
このようにすれば、補強枠を利用して増築ユニットを強固に取付けできる。
【発明の効果】
【００１５】
請求項１，２に係る発明によれば、既設建物の外壁部分を取りこわして増築用開口部を形成し、その後に、あらかじめ組み立てした増築ユニットを取付けることで増築できるので、その増築の工事期間が短い。
また、外壁材の残存した左右の縦開口縁部が既設の左右の柱の室外側面で支持されているので、外壁材を取りこわして外側開口部を形成した後に、その左右の縦開口縁部を補強する必要がないし、その外壁材の縦内面、上横内面が縦押え部、上横押え部で覆われて室外から見えないので、その縦内面、上横内面を見栄え良く補修する必要がなく、これらが相俟って取りこわした外壁部分の補修が簡単である。
【発明を実施するための最良の形態】
【００１６】
図１と図２に示すように、既設建物の外壁部分１における増築する居室２と対向した部分は、取りこわしされて増築用開口部３が形成されている。
この増築用開口部３は、左右一対の既設の柱４，４と、既設の土台５と、既設の柱４，４間に横架連結した上横材６で囲まれた内側開口部７と、外壁材８に形成した外側開口部９を有している。前記上横材６は既設の窓台などがあれば、それを利用できるが、新しい上横材６を柱４間に横架して取付けても良い。前記外壁部分１とは既設の柱４、土台５等の躯体部分と、外壁材８と内装材を含むもので、この説明では内装材が省略してある。
前記外側開口部９は左右の縦内面９ａ，９ａと上横内面９ｂで下向きコ字状で、その縦内面９ａは前記左右の既設の柱４の室外側面４ａと対向し、かつ既設の土台５の室外側面５ａまで連続し、前記上横内面９ｂは上横材６の室外側面６ａと対向している。つまり、外側開口部９の左右寸法は左右の既設の柱の内側面４ｂ間の寸法よりも大きく、外側面４ｃ間の寸法よりも小さい。
【００１７】
前述のように、外壁材８の外側開口部９の左右の縦内面９ａ，９ａが柱４の室外側面４ａと対向しているのでその外壁材８の縦開口縁部分は柱４の室外側面４ａで支持されたままであるから、外壁材８の取付け強度が低下しない。
つまり、外壁材８は既設の柱４の室外側面４ａで支持するように取付けてあるので、その外壁材８を柱４の室外側面４ａと対向した部分で取りこわしすることで、残存した外壁材８の縦開口縁部は柱４の室外側面４ａで支持されたままであるから、その外壁材８の残存した縦開口縁部を補強する必要がない。
なお、外壁材８を取りこわしするにはカッター、またはグラインダー等を用いて切断することが好ましい。
【００１８】
前記増築用開口部３と連続して増築ユニット１０が取付けてある。
すなわち、前記内側開口部７を形成する左右一対の既設の柱４の室外側面４ａと、既設の土台５の室外側面５ａと、上横材６の室外側面６ａに亘って増築ユニット１０が取付けてある。
この増築ユニット１０は、前面部１１と左右の側面部１２と下面部１３と上面部１４で後面が開口した箱形状で、この増築ユニット１０の内部と前述の居室２が連続して奥行きを長くして増築部としている。
前記左右の側面部１２の外側面間の寸法（増築ユニット１０の左右寸法）は前記外側開口部９の左右寸法よりも小さい。この左右の側面部１２には外壁材８の縦開口縁部に沿った縦押え部１５が設けてあり、その縦押え部１５が外壁材８の室外側面８ａにおける縦開口縁部に接し、外壁材８の縦内面９ａが室外から見えないように覆っている。
前記上面部１４には外壁材８の上横開口縁部に沿った上横押え部１６が設けてあり、この上横押え部１６が外壁材８の室外側面８ａにおける上横開口縁部に接し、外壁材８の上横内面９ｂが室外から見えないように覆っている。
この実施の形態では、縦押え部１５、上横押え部１６と外壁材８の室外側面８ａとの間にシール材１７が設けてある。
【００１９】
このようであるから、既設建物の外壁部分１に増築用開口部３を形成し、あらかじめ工場等で組み立てた増築ユニット１０を取付けることで増築できるから、増築の工事期間が短い。
また、増築ユニット１０の左右の側面部１２に設けた縦押え部１５で外壁材８の縁内面９ａを覆って、その縦内面９ａが室外から見えないようにしていると共に、増築ユニット１０の上面部１４に設けた上横押え部１６で外壁材８の上横内面９ｂを覆って、その上横内面９ｂが室外から見えないようにしているので、外壁材８の外側開口部９の内面を補修する必要がなく、外壁部分１の補修が簡単である。
【００２０】
前記既設建物の増築以前に左右の柱４間に管柱、間柱や筋かいがあり、その管柱、間柱や筋かいを切断して除去して内側開口部７を形成した場合には、その内側開口部７の強度が低下する。
このために、図１と図２に示すように内側開口部７に補強枠２０を取付けて補強する。
前記補強枠２０は、上枠材２１と下枠材２２と左右の縦枠材２３で方形枠形状である。
前記上枠材２１は、上横材６の室外側面６ａに固着される上向取付片２１ａと内側面６ｂに固着される内向取付片２１ｂと室外側面６ａよりも室外側に突出した突出横片２１ｃで断面逆Ｔ字状の長尺材である。
前記下枠材２２は、既設の土台５の室外側面５ａに固着される下向取付片２２ａと内側面５ｂに固着される内向取付片２２ｂと室外側面５ａよりも室外側に突出した突出横片２２ｃで断面クランク状の長尺材である。
前記縦枠材２３は、既設の柱４の室外側面４ａに固着される外向取付片２３ａと内側面４ｂに固着される内向取付片２３ｂと室外側面４ａよりも室外側に突出した突出横片２３ｃで断面横向Ｔ字状の長尺材である。
【００２１】
このように、補強枠２０は上横材６、土台５、柱４の室外側面、内側面にそれぞれ固着される取付片を有するから、強固に補強できる。
また、上横材６、土台５、柱４の内側面から張り出す寸法が小さく、内側開口部７の大きさが補強枠２０で小さくなることが低減するので、その内側開口部７を有効に大きく使用できる。
【００２２】
また、下枠材２２の突出横片２２ｃに増築ユニット１０の下面部１３を載置して固着することで、増築ユニット１０を強固に取付けできる。
また、縦枠材２３の突出横片２３ｃに増築ユニット１０の側面部１２を固着することで、増築ユニット１０を強固に取付けできる。
前記上面部１４は前面部１１の上部と側面部１２の上部と上横材６の室内側面６ａに固着具１８で固着して取付けてある。
【００２３】
なお、上枠材２１、下枠材２２、縦枠材２３は突出横片２１ｃ，２２ｃ，２３を備えていない断面鉤形状の長尺材であっても前述と同様に内側開口部７を補強できると共に、開口の大きさが小さくなることを低減できる。
【００２４】
次に、補強材２０の具体形状を説明する。
図１と図２に示すように、上枠材２１、下枠材２２、縦枠材２３は断面鉤形状の第１形材３０と断面鉤形状の第２形材４０を溶接して固着してある。
前記上枠材２１は図３と図４に示すように、第１形材３０の一側片３１と第２形材４０の一側片４１を溶接して断面逆Ｔ字状とし、その第１形材３０の一側片３１と第２形材４０の一側片４１で上向取付片２１ａとし、第１形材３０の他側片３２と第２形材４０の他側片４２を水平向きとして横向取付片２１ｂ、突出横片２１ｃとしてある。
前記下枠材２２は図３と図５に示すように第１形材３０の一側片３１と第２形材４０の一側片４１を溶接して断面クランク状とし、その一側片３１，４１で下向取付片２２ａとし、第１形材３０の他側片３２を内向取付片２２ｂとし、第１形材４０の他側片４２を突出横片２２ｃとしている。
前記縦枠材２３は図３、図４、図５に示すように第１形材３０の一側片３１と第２形材４０の一側片４１を溶接して断面横向Ｔ字状とし、その一側片３１，４１で横向取付片２３ａとし、第１形材３０の他側片３２を内向取付片２３ｂとし、第２形材４０の他側片４２を突出横片２３ｃとしている。
【００２５】
このようであるから、同一断面形状の第１形材３０、第２形材４０を用いて上枠材２１、下枠材２２、縦枠材２３を形成できる。
【００２６】
前記上枠材２１と縦枠材２３は上部コーナー部材５０で連結され、下枠材２２と縦枠材２３は下部コーナー部材６０で連結される。
前記上部コーナー部材５０は、図４に示すように前記第１形材３０の一側片３１の長手方向中間部を９０度のＶ字状に切断し、その切断部３１ａを境として９０度に折り曲げた第１部材５１と、前記第２形材４０の一側片４１の長手方向中間部を９０度のＶ字状に切断し、その切断部４１ａを境として９０度に折り曲げた第２部材５２を有する。この第１部材５１は第２部材５２よりも長尺である。
そして、第１部材５１の一側片３１と第２部材５２の一側片４１を溶接して固着し、前記切断部３１ａにプレート５３を溶接して固着してある。
【００２７】
前記上枠材２１の第２形材４０を第１形材３０よりも長尺とし、その第２形材４０の第１形材３０よりも突出した部分の一側片４１を第１部材５１の第２部材５２よりも突出した部分の一側片３１に接してボルト又は溶接で固着する。
前記縦枠材２３の第２形材４０が第１形材３０よりも長手方向に突出し、その第２形材４０の突出した部分の一側片４１を第１部材５１の突出した部分の一側片３１に接してボルト又は溶接で固着する。
【００２８】
前記下部コーナー部材６０は、図５に示すように前記第１形材３０を所定の長さに切断した横向きの第１形材３０と縦向きの第１形材３０を備えた第１部材６１と、前記第２形材４０を所定の長さに切断した横向きの第２形材４０と縦向きの第２形材４０を備えた第２部材６２を有する。
前記横向きの第１形材３０の他側片３２に縦向きの第１形材３０の端面を接して溶接で固着することで鉤形状の第１部材６１としてある。
前記縦向きの第２形材４０の一側片４１を前記横向きの第１形材３０の一側片３１と縦向きの第１形材３０の一側片３１に亘って接して溶接で固着し、この縦向きの第２形材４０の他側片４２の横向きの第１形材３０と対向する部分を切断して除去して増築ユニット１０の下面部１３を取付ける際に邪魔にならないようにする。
前記横向きの第２形材４０の一側片４１を横向きの第１形材３０の一側片３１に接して溶接で固着する。
【００２９】
そして、前記縦枠材２３の第１形材３０よりも下方に突出した第２形材４０の一側片４１を、縦向きの第２形材４０よりも上方に突出した縦向きの第１形材３０の一側片３１に接してボルト又は溶接で固着する。
前記下枠材２３の第１形材３０よりも突出した第２形材４０の一側片４１を、横向きの第２形材４０よりも突出した横向きの第１形材３０の一側片３１に接してボルト又は溶接で固着する。
【００３０】
このようであるから、複雑な断面形状の上枠材２１、下枠材２２、縦枠材２３を上部コーナー部材５０、下部コーナー部材６０を用いて強固で、簡単に連結できる。
また、上枠材２１、下枠材２２、縦枠材２３と上部コーナー部材５０、下部コーナー部材６０を同一の第１形材３０と同一の第２形材４０を用いて作製できる。
【００３１】
前記補強枠２０の上枠材２１、下枠材２２、縦枠材２３は上横材６、土台５、柱４に木ねじで固着して固定されており、この木ねじでは第１形材３０と第２形材４０を上横材６、土台５、柱４に共締めしても良い。
例えば、上枠材２１、下枠材２２、縦枠材２３と各コーナー部材を別々として上枠材２１、下枠材２２、縦枠材２３にそれぞれ取付け、各枠材の第２形材４０の一側片４１とコーナー部材の第１形３０の一側片３１を重ね合わせて木ねじで上横材６、土台５、柱４に共締めする。
【００３２】
次に、前記増築ユニット１０の具体形状を説明する。
前記前面部１１、側面部１２、下面部１３は一対の表面板１１ａ，１２ａ，１３ａの間に断熱材１１ｂ，１２ｂ，１３ｂを設けたパネルで、前面部１１と側面部１２は装飾用プレート１１ｃ，１２ｃを有している。
前記上面部１４は採光部を有する。例えば、アルミ形材を方形状に枠組みした枠体１４ａにガラス１４ｂを装着したトップライトと呼ばれるサッシ窓である。
前記側面部１２の外側の表面板１２ａにおける開口端縁に沿ってアルミ押出形材を取付けて前述の縦押え部１５としてある。
【００３３】
前記内側開口部７に補強枠２０を取付けない場合、又は補強枠２０の各枠材が突出横片を有しない場合には、増築ユニット１０の側面部１２、下面部１３を柱４の室外側面４ａ、土台５の室外側面５ａにブラケット（例えば、前述の第２形材４０と同一断面形状のブラケット）を介して固着して取付けることができる。なお、上面部１４は上横材６の室外側面６ａに前述と同様に固着して取付ける。
【図面の簡単な説明】
【００３４】
【図１】本発明の実施の形態を示す増築部分の縦断面図である。
【図２】本発明の実施の形態を示す増築部分の横断面図である。
【図３】補強枠の斜視図である。
【図４】上部コーナー部材と上枠材と縦枠材の分解した状態の斜視図である。
【図５】下部コーナー部材と下枠材と縦枠材の分解した状態の斜視図である。
【符号の説明】
【００３５】
１…外壁部分、２…居室、３…増築用開口部、４…既設の柱、５…既設の土台、６…上横材、、７…内側開口部、８…外壁材、９…外側開口部、１０…増築ユニット、１１…前面部、１２…側面部、１３…下面部、１４…上面部、１５…縦押え部、１６…上横押え部、２０…補強枠、２１…上枠材、２２…下枠材、２３…縦枠材。
【図１】
2006214208.tif 000003
【図２】
2006214208.tif 000004
【図３】
2006214208.tif 000005
【図４】
2006214208.tif 000006
【図５】
2006214208.tif 000007